(57)【要約】【課題】  低消費電力で圧電発振器を駆動することを目的とする。【解決手段】  課題を解決するために本発明は、圧電振動子と発振駆動回路と発振出力部とで構成する圧電発振器において、前記発振駆動回路と前記発振出力部を分離した回路構成にして、前記発振駆動回路と前記発振出力部を分離した回路構成にして、前記発振駆動回路と前記発振出力部を個別に動作させ、前記発振駆動回路と前記発振出力部の起動タイミングは、比較器により実現することにより課題を解決する。【選択図】  図２
2005318310.tif 000002
【特許請求の範囲】
【請求項１】
圧電振動子と発振駆動回路と発振出力部とで構成する圧電発振器において、
前記発振駆動回路と前記発振出力部を分離した回路構成にして、前記発振駆動回路と前記発振出力部を個別に動作させることを特徴とする圧電発振器。
【請求項２】
請求項１記載の圧電発振器において、前記発振駆動回路と前記発振出力部の起動時間のタイミングは、前記発振駆動回路と前記発振出力部の動作を比較器により比較することを特徴とする圧電発振器。
【請求項３】
請求項１記載の圧電発振器は温度補償型発振器であることを特徴とする圧電発振器。
【発明の詳細な説明】
【技術分野】
【０００１】
本発明は、携帯電話端末に使用する温度補償型発振器の補償動作に関する。
【背景技術】
【０００２】
圧電発振器にも色々な機能を備えた発振器があるが、その中のひとつとして温度補償発振器は、発振器を構成する圧電振動子が環境温度により周波数が変化する温度特性を持っている。その一例としてＡＴカットの水晶振動子では、中心周波数の変動が最も少ない温度を２５℃近辺に設定し、高温側と低温側では周波数変動が大きくなるというＡＴカットの水晶振動子特有の温度特性を持っていることが知られている。
【０００３】
最近の傾向として無線通信機器や携帯電話機など移動体通信分野を中心に小型化、軽量化、低価格化が急激な展開を見せている。そしてその一方では高機能化、低消費電力化といった単に携帯電話機の外観的な仕様だけで無く、利用する上での利便性や使い勝手にも厳しい要求が求められている。
【０００４】
前述するように安定した周波数特性と低消費電力の両面を備えた温度補償型発振器を用いる携帯電話機が構成させているが、実際に使われる携帯電話の通信方式は、基地局と携帯電話機（端末）とで携帯電話機の場所が移動するたびに受信範囲の基地局が随時移動している。その間基地局と携帯電話機とは間欠で送受信を行い基地局と携帯電話双方の認識を行っている。
【０００５】
このように携帯電話機に搭載する温度補償型発振器は待ち受け待機時には、基地局と定期的な送受信動作を繰り返しており、その通信時にのみ携帯電話機に搭載する温度補償型発振器が駆動し動作するのが一般的な通信方式である。
【特許文献１】特表平０９−５０９０３７号公報
【発明の開示】
【発明が解決しようとする課題】
【０００６】
上述するように従来の携帯電話機はそれに搭載する温度補償型発振器を間欠動作にし信号の送受信を行っている。温度補償型発振器の間欠動作は温度補償型発振器の電源電圧回路を断続的に電源をオン／オフすることで実現しているが、待ち受け待機時から、通常の発振動作に移るまでには携帯電話機を構成する他の周辺回路部分よりも温度補償型発振器の立ち上げ動作時間に時間がかかるため、他の周辺回路よりも起動時間のタイミングを早めたタイムチャートで携帯電話機の内部制御がなされている。
【０００７】
しかし、携帯電話機を駆動するために必要な電力消費のうちで、温度補償型発振器と他の周辺回路とでは、待ち受け時にはほぼ半分の割合で温度補償型発振器に対する電力供給（電力消費）をしていることから、携帯電話機の基本動作である間欠に基地局との通信を必要としながらも、待ち受け待機時から通常発振に変わるタイミングで、発振動作を確保し安定した通信状態を維持するためには、温度補償型発振器の動作を確実に安定した発振動作状態を確保しなければならない。しかし、その動作を行うには大きな電力の消費が必要となっているのが現状である。
【課題を解決するための手段】
【０００８】
本発明は圧電振動子と発振駆動回路と発振出力部とで構成する圧電発振器の、前記発振駆動回路と前記発振出力部を分離した回路構成にして、前記発振駆動回路の起動タイミングに応じて前記発振出力部を起動するものである。要するに従来の温度補償型発振器での間欠動作は温度補償型発振器の電源電圧回路を断続的に電源をオン／オフすることで実現していたが、本発明では前記発振駆動回路と前記発振出力部の起動タイミングを比較器を介することで、発振器全体の起動時間を早めると同時に回路全体の消費電力を低減するものである。
【発明の効果】
【０００９】
本発明により携帯電話機を構成する温度補償型発振器の待ち受け待機時の駆動消費電力を約４０％削減できることにより、携帯電話機全体の消費電力はもとより、温度補償型発振器の低消費電力化を実現することができる。
【発明を実施するための最良の形態】
【００１０】
そこで本発明は、圧電振動子と発振駆動回路と発振出力部とで構成する圧電発振器において、前記発振駆動回路と前記発振出力部を分離した回路構成にして、前記発振駆動回路の起動タイミングに応じて前記発振出力部も起動することを特徴とする圧電発振器であり、前記発振駆動回路と前記発振出力部の起動タイミングは、比較器により実現するものである。また、本願発明は主に携帯電話機に搭載し基準信号を発生させる温度補償型発振器に適用するものである。
【実施例１】
【００１１】
以下、添付図面に従ってこの発明の実施例を説明する。なお、各図において同一の符号は同様の対象を示すものとする。図１は本発明の基本的な考え方である。圧電発振器５の基本構成は、圧電振動子１と発振駆動回路２と発振出力部３であり、この各構成の中で、発振駆動回路２と発振出力部３を個別に間欠動作をさせることである。図１（ａ）はブロック的に概念として説明したものであり、図１（ｂ）と図１（ｃ）はそれぞれ消費電力と発振出力の関係を示した動作チャート図である。
【００１２】
図１（ａ）のブロック図に示すように、発振駆動回路２と発振出力部３の動作を間欠動作にした場合、発振駆動回路２と発振出力部３の間欠動作を発振駆動回路２より少し遅れて、発振出力部３を動作させ、同時に両方を停止させるタイミングで間欠動作させている（図１（ｂ））。このような動作により図１（ｃ）に示すような安定した発振出力を得ることができ、同時に圧電発振器５全体の消費電力も低減することができる。
【実施例２】
【００１３】
図２は図１の基本動作を応用した動作である。図２（ａ）に示すのは発振駆動回路２と発振出力部３の間に比較器４を挿入したものである。比較器４は発振駆動回路２と同じタイミングで間欠動作を行っているが、発振出力部３は常時動作をさせている。
しかしここで比較器４の動作は、間欠動作をしている中で、発振駆動回路２の発振動作を検波して更に動作タイミングを遅くして間欠動作をすることにより、圧電発振器５全体の消費電力を低減することができる。図２（ｂ）と図２（ｃ）については、図１（ｂ）と図１（ｃ）と同様の動作となるため説明は省略する。
【００１４】
以上のように本発明では圧電発振器５全体の消費電力を低減するために、発振駆動回路２と発振出力部３を分離しそれぞれを駆動することで全体の消費電力を低減することを実現するものである。
【００１５】
なお、図３は従来例の動作概念を説明するもので、上述する内容と比較しても分かるように、図３では発振駆動回路２と発振出力部３を同時に間欠動作させるために、特に図３（ｂ）と図３（ｃ）の関係からわかるように、間欠動作する発振駆動回路２に供給する電力に対して、十分安定した発振出力が得られないことが分かる（図３（ｃ）では斜線部で不安定発振領域を表示）。
【００１６】
本発明では従来例の不安定発振領域を改善し、最も効果的に電力を供給しながら、安定した発振出力を得るための工夫が取られたものである。
【産業上の利用可能性】
【００１７】
本発明では温度補償型発振器を想定して記述しているが、一般圧電発振器の駆動であったり、弾性表面波装置あるいは、圧電振動子１を用いた各種センシングモジュールなどについても、低消費駆動を必要とする場合には応用することができる。
【図面の簡単な説明】
【００１８】
【図１】本発明の一例を示す温度補償型発振器の動作である。
【図２】本発明の他の実施例を示す温度補償型発振器の動作である。
【図３】従来例の一例として説明する温度補償型発振器の動作である。
【符号の説明】
【００１９】
１      圧電振動子
２      発振駆動回路
３      発振出力部
４      比較器
５        圧電発振器
【図１】
2005318310.tif 000003
【図２】
2005318310.tif 000004
【図３】
2005318310.tif 000005